(57)【要約】【課題】搭乗者に対して、自動運転モードを有する車両の操作が許容される操作範囲を決定する車両制御装置を提供する。【解決手段】車両制御装置１０は、車両の操作が許容される操作範囲が異なる複数の運転モードを有する。運転モードは、少なくとも自動運転モードを有する。車両制御装置１０は、外部のサーバ１２０から取得された、車両を運転する搭乗者が有する運転資格情報に基づいて、複数の運転モードの内の何れか１つの運転モードにおいて車両が操作されることを決定する処理部１１を備える。【選択図】図１
2018124860.tif 000002
【特許請求の範囲】
【請求項１】
車両の操作が許容される操作範囲が異なる複数の運転モードを有する車両制御装置であって、
前記複数の運転モードは、少なくとも自動運転モードを有し、
外部のサーバから取得された、車両を運転する搭乗者が有する運転資格情報に基づいて、前記複数の運転モードの内の何れか１つの運転モードにおいて車両が操作されることを決定する処理部を備える車両制御装置。
【請求項２】
前記搭乗者を認識する搭乗者情報を取得する搭乗者情報取得部と、
前記搭乗者情報取得部により取得された前記搭乗者情報を前記サーバへ送信し、前記サーバから前記搭乗者情報と関連付けられた前記運転資格情報を受信する通信部と、
を備える請求項１に記載の車両制御装置。
【請求項３】
前記サーバは、外部から取得された情報に基づいて、前記運転資格情報を更新する請求項１又は２に記載の車両制御装置。
【請求項４】
前記搭乗者は、前記車両制御装置を備える前記車両の外部におり、
前記搭乗者から前記搭乗者の現在の位置及び目的地が通知された前記処理部は、前記運転資格情報に基づいて、前記搭乗者の現在の位置から目的地まで移動可能か否かの判断結果を前記搭乗者へ通知する請求項１〜３の何れか一項に記載の車両制御装置。
【請求項５】
外部のサーバから車両を運転する搭乗者が有する運転資格情報を取得することと、
前記運転資格情報に基づいて、少なくとも自動運転モードを有し、車両の操作が許容される操作範囲が異なる複数の運転モードの内の何れか１つの運転モードにおいて車両が操作されることを決定すること、
を備える車両制御方法。
【発明の詳細な説明】
【技術分野】
【０００１】
本発明は、車両制御装置及び車両制御方法に関する。
【背景技術】
【０００２】
従来、車両に搭乗する搭乗者が運転操作することなく自動的に運転される自動運転車両が開発されている。
【０００３】
搭乗者の運転操作により操作される手動運転車両では、搭乗者に対して運転免許を保持していることが求められる。搭乗者が所定の運転操作技術を習得していることにより、手動運転車両を安全に操作できると考えられるためである。
【０００４】
また、自動運転車両は、自動運転により動作する自動運転モードとともに、手動運転により動作する手動運転モードを有する場合がある。自分の操作で車両を操る手動運転を楽しみたい搭乗者もいるからである。
【０００５】
例えば、自動運転車両に搭乗する搭乗者に対しても、運転免許証を保持することを求めることが提案されている（特許文献１参照）。
【先行技術文献】
【特許文献】
【０００６】
【特許文献１】特開２０１６−１３００９１号公報
【発明の概要】
【発明が解決しようとする課題】
【０００７】
しかし、運転免許を所持しない搭乗者が、自動運転車両に搭乗することも予想される。
【０００８】
例えば、公共の交通機関が乏しい過疎地域等では、自動運転車両の利用が期待されている。このような地域において、自動運転車両の利用を希望するものは、運転免許を有していない場合もある。
【０００９】
自動運転車両は、搭乗者が運転免許を所持していなくても、搭乗者が目的地を入力すれば、目的地までの運転を自動で行う機能を有する。
【００１０】
ただし、搭乗者が運転免許を有していない場合には、自動運転車両に対して、手動運転を許容しないことも求められる。
【００１１】
本明細書では、搭乗者に対して、自動運転モードを有する車両の操作が許容される操作範囲を決定する車両制御装置及び車両制御方法を提供することを課題とする。
【課題を解決するための手段】
【００１２】
本明細書に開示する車両制御装置によれば、車両の操作が許容される操作範囲が異なる複数の運転モードを有する車両制御装置であって、上記複数の運転モードは、少なくとも自動運転モードを有し、外部のサーバから取得された、車両を運転する搭乗者が有する運転資格情報に基づいて、上記複数の運転モードの内の何れか１つの運転モードにおいて車両が操作されることを決定する処理部を備える。
【００１３】
また、本明細書に開示する車両制御方法によれば、外部のサーバから車両を運転する搭乗者が有する運転資格情報を取得することと、上記運転資格情報に基づいて、少なくとも自動運転モードを有し、車両の操作が許容される操作範囲が異なる複数の運転モードの内の何れか１つの運転モードにおいて車両が操作されることを決定すること、を備える。
【発明の効果】
【００１４】
上述した本明細書に開示する車両制御装置によれば、外部のサーバから取得された、車両を運転する搭乗者が有する運転資格情報に基づいて、自動運転モードを有する車両の操作が許容される操作範囲を決定できる。
【００１５】
また、上述した本明細書に開示する車両制御方法によれば、外部のサーバから取得された、車両を運転する搭乗者が有する運転資格情報に基づいて、自動運転モードを有する車両の操作が許容される操作範囲を決定できる。
【図面の簡単な説明】
【００１６】
【図１】本明細書に開示する車両制御ネットワークシステムの一実施形態を示す図である。
【図２】本明細書に開示する車両制御システムを示す図である。
【図３】車両制御装置の処理部の機能ブロック図である。
【図４】記憶部を説明する図である。
【図５】記憶部を示す図である。
【図６】運転資格情報表を示す図である。
【図７】車両制御ネットワークシステムの動作を説明するフローチャート（その１）である。
【図８】車両制御ネットワークシステムの動作を示すシーケンス図（その１）である。
【図９】車載装置の表示部に表示される画面を示す図である。
【図１０】車両制御ネットワークシステムの動作を説明するフローチャート（その２）である。
【図１１】手動運転履歴表を示す図である。
【図１２】自動運転評価情報を取得する際の表示部の画面を示す図である。
【図１３】車両制御ネットワークシステムの動作を示すシーケンス図（その２）である。
【図１４】車両制御ネットワークシステムの動作を示すシーケンス図（その３）である。
【図１５】車両制御ネットワークシステムの動作を示すシーケンス図（その４）である。
【発明を実施するための形態】
【００１７】
以下、本明細書で開示する車両制御ネットワークシステムの好ましい一実施形態を、図を参照して説明する。但し、本発明の技術範囲はそれらの実施形態に限定されず、特許請求の範囲に記載された発明とその均等物に及ぶものである。
【００１８】
図１は、本明細書に開示する車両制御ネットワークシステムの一実施形態を示す図である。図２は、本明細書に開示する車両制御ネットワークシステムが備える車両制御システムを示す図である。
【００１９】
本実施形態の車両制御ネットワークシステム１００（以下、単にシステム１００ともいう）は、車両制御システム１（以下、単にシステム１ともいう）と、システム１とネットワークＮを介して通信可能に接続されたサーバ１１０を備える。
【００２０】
システム１は、搭乗者が運転操作することなく自動的に運転される自動運転モード、及び搭乗者の運転操作により操作される手動運転モードを有する車両の動作を制御する。本実施形態では、システム１は、４輪を有する車両に搭載される。
【００２１】
自動運転モードでは、車両の操舵、加速、制動を含む主制御系統の操作が自動で行われる。手動運転モードでは、車両の上述した主制御系統の操作は、運転席に着座した搭乗者により行われる。
【００２２】
自動運転モード及び手動運転モードは、車両を運転する搭乗者に対して、車両の操作が許容される操作範囲が異なっている。例えば、自動運転モードでは、搭乗者に対して、目的地の入力操作は許容されるが、車両の操舵、加速、制動を含む主制御系統の操作は許容されない。一方、手動運転モードでは、搭乗者に対して、主制御系統の操作も許容される。
【００２３】
システム１は、サーバ１１０から取得した車両の運転席に着座し得る搭乗者が有する運転資格情報に基づいて、運転モードが決定される。車両は、決定された運転モードによって制御可能となる。
【００２４】
システム１は、車両の運転席に着座した搭乗者から操作される場合と、車両の外部にいる搭乗者から通信により操作される場合とがある。
【００２５】
サーバ１１０は、運転席に着座し得る搭乗者の搭乗者情報と関連づけられた運転資格情報が登録された運転資格情報表等を記憶する記憶部１１２を有する。
【００２６】
サーバ１１０は、警察又は公安委員会等の公的機関のサーバ１２０と、ネットワークＮを介して通信可能に接続し得る。サーバ１１０は、運転席に着座し得る搭乗者が有する運転資格情報及び運転資格情報に関連する運転資格関連情報を、公的機関のサーバ１２０から取得して、運転資格関連情報を更新し得る。例えば、サーバ１１０は、搭乗者の運転免許が失効している場合には、運転資格情報として、運転資格を有さないことが更新される。
【００２７】
また、システム１は、車両の運転席に着座し得る搭乗者の搭乗者情報と関連付けられた車両設定情報、経路履歴情報及び自動運転履歴情報を、サーバ１１０から取得して、これらの情報に基づいて車両を制御する。車両設定情報、経路履歴情報及び自動運転履歴情報の説明は後述される。
【００２８】
システム１では、車両設定情報、経路履歴情報及び自動運転履歴情報に基づいて、同じ搭乗者が、異なる車両に搭乗する場合でも、搭乗者の情報に基づいて、各車両が搭乗者に対応するように制御される。また、システム１００では、車両設定情報、経路履歴情報及び自動運転履歴情報に基づいて、異なる搭乗者が、同じ車両に搭乗する場合でも、各搭乗者の情報に基づいて、同じ車両が各搭乗者に対応するように制御される。
【００２９】
システム１は、運転席に着座し得る搭乗者が有する高機能携帯端末等の端末１３０と、ネットワークＮを介して通信可能に接続する。運転席に着座し得る搭乗者は、端末１３０を用いて、車両の外部からシステム１と通信可能である。
【００３０】
次に、システム１について、以下に詳述する。
【００３１】
システム１は、車両制御装置１０と、運転席着座情報取得部２０と、搭乗者情報取得部３０と、車載装置４０を備える。また、システム１は、運転制御装置６０と、車両状態センサ７０と、車両設定制御部８０を備える。
【００３２】
次に、車両制御装置１０について、以下に詳述する。
【００３３】
車両制御装置１０は、運転席着座情報取得部２０が取得した情報に基づいて、搭乗者が運転席に着座したことを検知する。また、車両制御装置１０は、搭乗者情報取得部３０が取得した搭乗者情報を、ネットワークＮを介してサーバ１１０へ送信し、サーバ１１０から搭乗者情報と関連付けられた運転資格情報を受信する。
【００３４】
車両制御装置１０は、受信した運転資格情報に基づいて、運転席に着座し得る搭乗者（車両を操作する搭乗者）に対して許容される運転モードを決定する。
【００３５】
車両制御装置１０は、車載装置４０を用いて、目的地を入力すると共に、許容される運転モードにおいて許容される、現在から目的地までの経路を探索する。
【００３６】
車両制御装置１０は、運転制御装置６０に対して、車両の運転を制御させる。
【００３７】
また、車両制御装置１０は、搭乗者の車両設定情報に基づいて、車両設定制御部８０に対して、搭乗者に対応するようにドライブポジションを調整させ、また車載装置４０を制御させる。
【００３８】
車両制御装置１０は、処理部１１と、記憶部１２と、通信部１３を有する。
【００３９】
処理部１１は、一つまたは複数のプロセッサと、周辺回路とを有する。処理部１１は、記憶部１２に予め記憶されている所定のプログラム１２ａに従い、車両制御装置１０の各ハードウェア構成要素の制御及び各種処理を行い、処理中に生じるデータを一時的に保存するために記憶部１２を利用する。
【００４０】
図３は、車両制御装置の処理部の機能ブロック図である。図４は、記憶部を説明する図である。
【００４１】
処理部１１は、運転資格情報取得部１１ａと、運転モード決定部１１ｂと、経路決定部１１ｃと、情報更新部１１ｄと、電子決済部１１ｅを有する。
【００４２】
処理部１１が有するこれらの各部は、例えば、処理部１１が有するプロセッサ上で動作するコンピュータプログラムにより実現される機能モジュールである。なお、処理部１１が有するこれらの各部は、それぞれ、別個の回路として、車両制御装置１０に実装されてもよい。各部の説明については後述する。
【００４３】
記憶部１２は、ランダムアクセスメモリ（ＲＡＭ）又はリードオンリーメモリ（ＲＯＭ）等の半導体メモリ又は磁気ディスク又はフラッシュメモリを有していても良い。記憶部１２は、所定のプログラム１２ａを記憶する記憶媒体を読み出し可能なドライブを有していても良い。
【００４４】
記憶部１２は、所定のプログラム１２ａと、車両設定表１２ｂと、経路履歴表１２ｃと、手動運転履歴表１２ｄと、自動運転履歴表１２ｅ等を記憶している。車両設定表１２ｂと、経路履歴表１２ｃと、手動運転履歴表１２ｄと、自動運転履歴表１２ｅについては、後述する。
【００４５】
通信部１３は、無線通信を用いて、ネットワークＮを介して、サーバ１１０との間で情報の送受信を行う。通信部１３は、例えば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）又はＬＴＥ（Ｌｏｎｇ  Ｔｅｒｍ  Ｅｖｏｌｕｔｉｏｎ）等の所定の通信規格に準拠して、基地局を介して、ネットワークＮと接続する。また、通信部１３は、運転席着座情報取得部２０、搭乗者情報取得部３０、車載装置４０、運転制御装置６０及び車両設定制御部８０との間で情報の送受信を行う。処理部１１は、通信部１３を用いて受信された情報に基づいて、各種の処理を行う。また、処理部１１は、各種の処理を行った結果を、通信部１３を用いて送信する。通信部１３は、送受信を行う通信回路及び通信線又はアンテナを有し得る。
【００４６】
また、通信部１３は、有料道路の料金所に配置された無線通信装置との間で、無線による通信が可能である。更に、通信部１３は、搭乗者が有する端末１３０との間で、無線による通信が可能である。
【００４７】
次に、運転席着座情報取得部２０について、以下に詳述する。
【００４８】
運転席着座情報取得部２０は、車両の運転席の着座状態を示す情報を取得して、着座の有無を示す情報を車両制御装置１０へ送信する。運転席着座情報取得部２０は、運転席荷重センサ２１、シートベルト装着センサ２２、及びカメラ２３を備える。ただし、運転席着座情報取得部２０は、これらの全てのセンサ等を有していなくてもよい。また、運転席着座情報取得部２０は、車両の運転席に搭乗者が着座したことを検知する他の手段を有してもよい。
【００４９】
運転席荷重センサ２１は、車両の運転席に所定の値以上の荷重を検知すると、検知したことを通知する信号を車両制御装置１０へ送信する。
【００５０】
シートベルト装着センサ２２は、車両の運転席に配置されたシートベルトが搭乗者に装着されたことを検知すると、検知したことを通知する信号を車両制御装置１０へ送信する。
【００５１】
カメラ２３は、車両の運転席を含む画像を撮影して、撮影した画像を車両制御装置１０へ送信する。
【００５２】
次に、搭乗者情報取得部３０について、以下に詳述する。
【００５３】
搭乗者情報取得部３０は、車両の運転席に着座した搭乗者を認識するための搭乗者情報を取得して、取得した搭乗者情報を車両制御装置１０へ送信する。搭乗者情報は、サーバ１１０において搭乗者が有する運転資格情報を決定するために用いられる。搭乗者情報として、例えば、運転免許証が有する情報、搭乗者の顔の画像、搭乗者の生体情報等が挙げられる。具体的には、搭乗者情報取得部３０は、運転免許証リーダ３１と、カメラ３２と、生体情報センサ３３を備える。ただし、搭乗者情報取得部３０は、これらの全てのセンサ等を有していなくてもよい。また、搭乗者情報取得部３０は、搭乗者情報を取得する他の手段を有してもよい。
【００５４】
運転免許証リーダ３１は、車両の運転席に着座した搭乗者のＩＣカード型の運転免許証が有する情報を取得して、取得した情報を搭乗者情報として車両制御装置１０へ送信する。運転免許証リーダ３１は、例えば、車両の運転席の前方のダッシュボード下方に配置される。車両の運転席に着座した搭乗者は、携帯しているＩＣカード型の運転免許証を、運転免許証リーダ３１の近傍にかざすか又は接触させて、運転免許証が有する情報を読み取らせる。運転免許証リーダ３１として、例えば、ＲＦＩＤリーダを用いることができる。運転免許証が有する情報として、免許証の番号及び生年月日が挙げられる。
【００５５】
カメラ３２は、車両の運転席を含む画像を撮影し、撮影した画像を搭乗者情報として車両制御装置１０へ送信する。カメラ３２は、カメラ２３と同じであってもよい。
【００５６】
生体情報センサ３３は、車両の運転席に着座した搭乗者の生体情報を取得し、取得した生体情報を搭乗者情報として車両制御装置１０へ送信する。生体情報として、指の指紋の画像、声紋、静脈パターン等が挙げられる。生体情報として、指の指紋の画像を用いる場合には、生体情報センサ３３としては、例えば、静電容量タイプを用いることができる。車両の運転席に着座した搭乗者は、例えば、指の指紋を指紋センサである生体情報センサ３３に読み取らせる。
【００５７】
次に、車載装置４０について、以下に詳述する。
【００５８】
車載装置４０は、処理部４１と、記憶部４２と、表示部４３と、操作部４４と、音響出力部４５と、通信部４６を有する。車載装置４０は、車両制御装置１０により制御されて動作可能である。
【００５９】
処理部４１は、一つまたは複数のプロセッサと、周辺回路とを有する。処理部４１は、記憶部４２に予め記憶されている所定のプログラムに従い、車載装置４０の各ハードウェア構成要素の制御及び各種処理を行い、処理中に生じるデータを一時的に保存するために記憶部４２を利用する。
【００６０】
記憶部４２は、ランダムアクセスメモリ（ＲＡＭ）若しくはリードオンリーメモリ（ＲＯＭ）等の半導体メモリ、又は磁気ディスク若しくはフラッシュメモリ等の不揮発性メモリを有していてもよい。また、記憶部４２は、所定のプログラムを記憶する非一時的な記憶媒体を読み出し可能なドライブとして、ディスクドライブを用いてもよい。
【００６１】
表示部４３は、センターコンソールに配置されており、処理部４１に制御されて、車載装置４０の動作に伴う各種の情報を表示可能である。表示部４３として、例えば、液晶ディスプレイを用いることができる。また、表示部４３は、車両制御装置１０の処理においても、情報を表示するために使用される。
【００６２】
操作部４４は、搭乗者により操作されて、操作を入力可能である。車載装置４０は、操作部４４として、例えば表示部４３の画面上に配置されるタッチパネルを用いることができる。また、操作部４４は、車両制御装置１０の処理においても、操作を入力するために使用される。
【００６３】
音響出力部４５は、図示しないスピーカを有しており、処理部４１に制御されて、音響を出力する。音響出力部４５は、車両制御装置１０の処理においても、音響を出力するために使用される。音響出力部４５は、イコライザ機能等の音響出力の設定機能を有している。
【００６４】
車両制御装置１０は、サーバ１１０から搭乗者の音響出力部４５等の車載装置４０の設定情報を含む車両設定情報を取得し、取得した車両設定情報を車載装置４０に通知する。車載装置４０は、通知された車両設定情報に基づいて、音響出力部４５のイコライザ機能等の音響出力の設定を調節する。
【００６５】
これにより、同じ搭乗者が、異なる車両に搭乗する場合でも、搭乗者の車両設定情報に基づいて、各車両の音響出力の設定が搭乗者に対応するように調節される。また、異なる搭乗者が、同じ車両に搭乗する場合でも、各搭乗者の車両設定情報に基づいて、同じ車両の音響出力の設定が各搭乗者に対応するように調節される。
【００６６】
通信部４６は、車両制御装置１０、及び車両に搭載されている車内のネットワーク（Ｃｏｎｔｒｏｌｌｅｒ  Ａｒｅａ  Ｎｅｔｗｏｒｋ：ＣＡＮに準拠）と通信する。また、通信部４６は、無線通信を用いて、ネットワークＮを介して、外部と通信可能であってもよい。通信部４６は、送受信を行う通信回路及び通信線又はアンテナを有し得る。なお、通信部４６は、通信部１３と共用されてもよい。
【００６７】
また、車載装置４０には、車両に搭載されたＧＰＳ情報受信部５０から、車両の位置を示す位置情報が入力される。ＧＰＳ情報受信部５０は、ＧＰＳ人工衛星が送信するＧＰＳ電波を受信して車両の位置を求め、車両の位置情報を車載装置４０に出力する。
【００６８】
処理部４１は、ナビゲーション機能を有する。ナビゲーション機能は、記憶部４２に記憶されるプログラムの実行により、同じく記憶部４２に記憶される地図データを用いて実現される機能モジュールであり、ＧＰＳ情報受信部５０から取得した車両の現在の位置に基づいて、目的地までの経路案内を行う。処理部４１は、記憶部４２に記憶された地図データと車両の位置とに基づき、車両の周辺の地図を示す地図画像及び音声案内情報を生成する。また、処理部４１は、搭乗者により目的地が設定された場合には、現時点の車両の位置から目的地までの経路を導出し、当該経路を地図画像上に重畳する。処理部４１が生成した地図画像は、表示部４３に表示される。
【００６９】
記憶部４２には、記憶されている地図データ上の道路と、自動運転による走行が可能な道路情報と、自動運転による走行が許可されていない道路情報とが関連づけられて記憶されている。例えば、高速道路は、自動運転による走行が許可されているが、一般の道路は、自動運転による走行が許可されていない場合があり得る。
【００７０】
車載装置４０の処理部４１は、車両制御装置１０からの通知に基づいて、現時点の車両の位置から目的地までの経路を生成する。また、処理部４１は、車両制御装置１０からの通知に基づいて、自動運転による走行が可能な道路だけを経由する経路を生成可能である。車載装置４０の処理部４１は、複数の経路を導出して、搭乗者に選択された一の経路を経路として決定してもよい。
【００７１】
また、処理部４１は、搭乗者により指定された地点又は道路を経由するように経路を導出してもよい。
【００７２】
次に、運転制御装置６０について、以下に詳述する。
【００７３】
運転制御装置６０は、車両制御装置１０に制御されて、車両の運転を、自動運転モードと手動運転モードとに切り替えて、車両の動作を制御する。運転制御装置６０は、自動運転制御部６１及び手動運転制御部６２を有する。運転制御装置６０は、自動運転モードでは、自動運転制御部６１が生成する制御信号を、後述する操舵装置７１、駆動装置７２及び制動装置７３へ出力する。また、運転制御装置６０は、手動運転モードでは、搭乗者による操作に基づいて、操舵装置７１、駆動装置７２及び制動装置７３へ出力する信号を生成する。
【００７４】
車両状態センサ７０は、例えば、車速センサ、舵角センサ、横加速度センサ、ヨーレートセンサ、車輪速センサ及びエンジンの回転数センサ等の車両の状態を検出するセンサを有する。また、車両状態センサ７０は、例えば、カメラ、レーダ等の車両の周囲の状況を検出するセンサを有する。車両状態センサ７０が検出した情報は、運転制御装置６０に出力される。
【００７５】
自動運転制御部６１は、車両状態センサ７０が検出した車速、横加速度、ヨーレート、カメラが撮影した画像、レーダにより測定された反射波等の情報に基づいて、後述する操舵装置７１、駆動装置７２及び制動装置７３を制御して、自動運転による車両の動作を制御する。また、自動運転制御部６１には、車載装置４０が生成した経路情報が、車両制御装置１０を介して入力されて、進行方向が決定される。
【００７６】
手動運転制御部６２は、図示しないステアリング、アクセルペダル又はブレーキペダル等に対する、運転席に着座した搭乗者による操作に基づき、後述する操舵装置７１、駆動装置７２及び制動装置７３を制御して、手動運転による車両の動作を制御する。
【００７７】
操舵装置７１は、自動運転制御部６１又は手動運転制御部６２の制御信号に基づいて車両の進行方向を決定する。
【００７８】
駆動装置７２は、自動運転制御部６１又は手動運転制御部６２の制御信号に基づいて車両の駆動力を生成して、車両を加速する。駆動装置７２は、例えば、内燃機関であるエンジン又は電気モータを有する。
【００７９】
制動装置７３は、自動運転制御部６１又は手動運転制御部６２の制御信号に基づいて車両の制動力を生成する。制動装置７３は、例えば、ブレーキディスク、ブレーキキャリパ及び油圧機構を有する。
【００８０】
次に、車両設定制御部８０について、以下に詳述する。
【００８１】
車両設定制御部８０は、車両制御装置１０に制御されて、図示しないシート、ステアリング、ルームミラー等を駆動する位置調整駆動部（図示せず）を駆動して、シート、ステアリング、ルームミラー等のドライビングポジションを制御する。
【００８２】
車両制御装置１０は、サーバ１１０から搭乗者のドライビングポジションの情報を有する車両設定情報を取得し、取得した車両設定情報を車両設定制御部８０に通知する。車両設定制御部８０は、通知された車両設定情報に基づいて、位置調整駆動部（図示せず）を用いて、シート、ステアリング、ルームミラー等（図示せず）の位置を調節する。
【００８３】
これにより、同じ搭乗者が、異なる車両に搭乗する場合でも、搭乗者の車両設定情報に基づいて、各車両のドライビングポジションが搭乗者に対応するように調節される。また、異なる搭乗者が、同じ車両に搭乗する場合でも、各搭乗者の車両設定情報に基づいて、同じ車両のドライビングポジションが各搭乗者に対応するように調節される。
【００８４】
次に、サーバ１１０について、以下に詳述する。
【００８５】
サーバ１１０は、処理部１１１と、記憶部１１２と、通信部１１３を有する。
【００８６】
処理部１１１は、一つまたは複数のプロセッサと、周辺回路とを有する。処理部１１１は、記憶部１１２に予め記憶されている所定のプログラムに従い、サーバ１１０の各ハードウェア構成要素の制御及び各種処理を行い、処理中に生じるデータを一時的に保存するために記憶部１１２を利用する。なお、サーバは、一台でなくてもよい。サーバの動作は、ネットワークＮを介して通信可能に接続された複数のサーバが協働して実現されてもよい。
【００８７】
サーバ１１０は、車両の運転席に着座し得る搭乗者の運転資格情報を管理する。運転資格情報は、車両制御装置１０が、搭乗者に対して許容される運転モードを決定するために用いられる情報である。搭乗者の運転資格情報等の情報は、記憶部１１２に記憶される。図５は、記憶部を説明する図である。
【００８８】
記憶部１１２は、ランダムアクセスメモリ（ＲＡＭ）若しくはリードオンリーメモリ（ＲＯＭ）等の半導体メモリ、又は磁気ディスク若しくはフラッシュメモリ等の不揮発性メモリを有していてもよい。また、記憶部１１２は、所定のプログラムを記憶する非一時的な記憶媒体を読み出し可能なドライブとして、ディスクドライブを用いてもよい。記憶部１１２は、運転資格情報表１１２ａと、免許証情報参照表１１２ｂと、顔画像参照表１１２ｃと、生体情報参照表１１２ｄと、端末参照表１１２ｅと、サーバ車両設定表１１２ｆと、サーバ経路履歴表１１２ｇと、サーバ手動運転履歴表１１２ｈと、サーバ自動運転履歴表１１２ｉを記憶する。
【００８９】
運転資格情報表１１２ａには、車両の運転席に着座し得る搭乗者を識別する搭乗者識別情報と、搭乗者の運転資格情報とが関連づけられて登録される。図６は、運転資格情報表を示す図である。運転資格情報表６００は、搭乗者識別情報が登録される搭乗者識別情報欄６０１と、搭乗者の運転資格情報が登録される運転資格情報欄６０２と、搭乗者の運転資格関連情報が登録される運転資格関連情報欄６０３を有する。
【００９０】
サーバ１１０は、搭乗者識別情報欄６０１に登録される搭乗者識別情報を、免許証情報参照表１１２ｂ又は顔画像参照表１１２ｃ又は生体情報参照表１１２ｄ又は端末参照表１１２ｅを参照して、車両制御装置１０から送信される搭乗者情報に基づいて取得する。
【００９１】
運転資格情報欄６０２には、搭乗者識別情報と関連付けられた運転資格情報が登録される。運転資格情報欄６０２に登録される運転資格情報として、普通自動車一種免許（マニュアル、限定なし）、普通自動車一種免許（オートマチック限定）、普通自動二輪免許等が挙げられる。このように、運転資格情報表６００には、公的な資格証である運転免許証に登録される運転資格に基づいて、車両の運転席に着座し得る搭乗者の運転資格情報が登録されている。また、運転免許証を有さない、即ち運転資格を有さない、車両の運転席に着座し得る搭乗者の運転資格情報欄６０２には、運転資格を有していないことが登録される。
【００９２】
通信部１１３は、ネットワークＮを介して、車両制御装置１０及び公的なサーバ１２０との間で情報の送受信を行う。処理部１１１は、通信部１１３を用いて受信された情報に基づいて、各種の処理を行う。また、処理部１１１は、各種の処理を行った結果を、通信部１１３を用いて送信する。通信部１１３は、送受信を行う通信回路及び通信線又はアンテナを有し得る。
【００９３】
サーバ１１０は、運転免許証の番号と関連付けられた運転免許証の有効及び失効の情報を、ネットワークＮを介して、公的機関のサーバ１２０から取得して、免許証情報参照表１１２ｂを参照して、運転資格情報欄６０２の運転資格情報を更新するようにしてもよい。例えば、運転免許証が失効している場合には、運転資格情報として、運転資格を有さないに更新される。
【００９４】
運転資格関連情報欄６０３に登録される運転資格関連情報には、例えば、搭乗者の運転免許の停止の有無等の理由により、運転資格が無効であることを示す無効情報が含まれる。また、搭乗者の運転資格関連情報には、搭乗者識別情報と関連付けられている運転免許証が盗難されている等の理由により、運転資格が無効であることを示す無効情報が含まれる。更に、運転資格関連情報には、搭乗者識別情報と関連付けられている運転免許証が偽造されたもの等の理由により、運転資格が無効であることを示す無効情報が含まれる。運転資格関連情報は、サーバ１１０が、ネットワークＮを介して、公的機関のサーバ１２０から取得し得る。搭乗者の運転資格関連情報が無効情報を含む時には、サーバ１１０は、運転資格情報欄６０２に登録されている情報に関わらず、運転資格情報として、運転資格を有していないと判断する。
【００９５】
免許証情報参照表１１２ｂには、運転免許証が有する情報と、搭乗者識別情報とが関連づけられて登録される。運転免許証が有する情報として、運転免許証の番号を用いてもよい。また、運転免許証が有する情報として、運転免許証の番号と共に、生年月日を用いてもよい。
【００９６】
顔画像参照表１１２ｃには、搭乗者の顔の画像と、搭乗者識別情報とが関連づけられて登録される。
【００９７】
生体情報参照表１１２ｄには、搭乗者の生体情報と、搭乗者識別情報とが関連づけられて登録される。搭乗者の生体情報としては、例えば、指の指紋の画像、声紋、静脈パターン等が挙げられる。
【００９８】
端末参照表１１２ｅには、搭乗者が有する端末１３０を識別する端末識別情報と、搭乗者識別情報とが関連づけられて登録される。
【００９９】
サーバ車両設定表１１２ｆには、車載装置４０の設定情報及びドライビングポジションの情報等の車両設定情報と、搭乗者識別情報とが関連づけられて登録される。
【０１００】
サーバ経路履歴表１１２ｈには、搭乗者が過去に利用した道路、搭乗者が過去に駐車した施設、搭乗者が過去に連続して運転した運転時間等の経路履歴情報と、搭乗者識別情報とが関連づけられて登録される。搭乗者が過去に利用した道路としては、例えば、搭乗者が目的地までの経路に含むように選択した道路（有料道路、一般道路等）が挙げられる。システム１は、目的地までの経路を導出する際に、搭乗者が過去に利用した道路を含むようにしてもよい。搭乗者が過去に駐車した施設としては、例えば、コンビニエンスストア等の商業施設が挙げられる。システム１は、目的地までの経路を導出する際に、搭乗者が過去に駐車した施設が経路に接続している場合には、施設を利用する提案を搭乗者に通知してもよい。また、システム１は、搭乗者が過去に連続して運転した運転時間に基づいて、搭乗者に対して、車両を駐車して休憩を取る提案を搭乗者に通知してもよい。
【０１０１】
サーバ手動運転履歴表１１２ｈには、搭乗者が過去に手動運転モードで車両を運転した時の手動運転情報と、搭乗者識別情報とが関連づけられて登録される。手動運転情報としては、例えば、車両の速度、制動、加速、車間距離、車線切り替え、追い越し、クラクション等の操作特性がある。搭乗者の手動運転情報は、自動運転モードで走行する車両を制御する制御情報として用いられる。例えば、車両制御装置１０は、搭乗者の手動運転情報に基づいて、燃費を抑制して走行するエコパターン、目的地までの到着時間の低減を図るタイムパターン、特に安全な運転を行うセーパターン等の自動運転パターンを生成して、これらのパターに基づいて運転制御装置６０を制御してもよい。
【０１０２】
サーバ自動運転履歴表１１２ｊには、搭乗者が過去に自動運転モードで車両に搭乗した時にシステム１へフィードバックした自動運転評価情報と、搭乗者識別情報とが関連づけられて登録される。自動運転評価情報として、車両の速度、制動、加速、車間距離、車線切り替え、追い越し、クラクションの特性がある。搭乗者の自動運転評価情報は、自動運転モードで走行する車両を制御する制御情報として用いられる。
【０１０３】
システム１における車両制御装置１０は、搭載されている車両に対して許可可能な運転モードとして、手動ＭＴ運転モードと、手動ＡＴ運転モードと、速度及び経路選択自動運転モードと、完全自動運転モードを有する。
【０１０４】
手動ＭＴ運転モードは、手動運転モードの１つである。手動ＭＴ運転モードでは、搭乗者は、図示しないシフトレバー及びクラッチペダルの操作により、ギアチェンジを自ら操作して車両を手動運転する運転モードである。手動ＭＴ運転モードは、いわゆるマニュアル車の運転モードである。
【０１０５】
手動ＡＴ運転モードは、手動運転モードの他の１つである。手動ＡＴ運転モードでは、ギアチェンジの操作は手動運転制御部６２により制御されて、搭乗者が、車両を手動運転する運転モードである。手動ＡＴ運転モードは、いわゆるオートマチック自動車の運転モードである。
【０１０６】
速度及び経路選択自動運転モードは、自動運転モードの１つである。速度及び経路選択自動運転モードでは、搭乗者に対して、目的地、経路の選択及び速度の設定操作が許容されて、車両を自動運転する運転モードである。ここで、速度選択は、制限速度以下の範囲において、車両が走行する速度を指定することを意味する。経路選択は、経路を導出する際に、搭乗者により指定された地点又は道路を経由するように経路を導出することを意味する。
【０１０７】
完全自動運転モードは、自動運転モードの他の１つである。完全自動運転モードでは、搭乗者に対して、目的地の設定操作のみが許容されて、車両を自動運転する運転モードである。
【０１０８】
運転資格情報が普通自動車一種免許（マニュアル、限定なし）の場合には、運転モードとして、上述した４つの手動ＭＴ運転モード、手動ＡＴ運転モード、速度及び経路選択自動運転モード及び完全自動運転モードの内の何れのモードも搭乗者に対して許容される。
【０１０９】
運転資格情報が、普通自動車一種免許（オートマチック限定）の場合には、運転モードとして、上述した４つの運転モードの内、手動ＡＴ運転モード、速度及び経路選択自動運転モード及び完全自動運転モードが搭乗者に対して許容される。
【０１１０】
運転資格情報が、普通自動二輪免許の場合には、運転モードとして、上述した４つの運転モードの内、速度及び経路選択自動運転モード及び完全自動運転モードが搭乗者に対して許容される。普通自動二輪免許を有している搭乗者は、例えば、道路の走行には制限速度があること、一方通行の道路では決められた方向にしか走行出来ないこと等の交通規則を把握していると考えられる。そこで、搭乗者に対して、速度及び経路選択の操作が許容される。しかし、普通自動二輪免許では、４輪を有する車両の手動運転は許容されないので、手動運転モードは搭乗者に対して許可されない。
【０１１１】
次に、上述したシステム１００の動作について、図面を参照しながら以下に説明する。
【０１１２】
図７は、車両制御装置１０が運転モードを決定する処理を説明するフローチャートである。
【０１１３】
まず、ステップＳ７０１において、車両制御装置１０の処理部１１の運転資格情報取得部１１ａは、運転席着座情報取得部２０からの情報に基づいて、車両の運転席に搭乗者が着座したことを検知する。
【０１１４】
運転資格情報取得部１１ａは、運転席荷重センサ２１から送信された信号に基づいて、車両の運転席に搭乗者が着座したことを検知してもよい。
【０１１５】
また、運転資格情報取得部１１ａは、シートベルト装着センサ２２から送信された信号に基づいて、車両の運転席に搭乗者が着座したことを検知し得る。
【０１１６】
更に、運転資格情報取得部１１ａは、カメラ２３から送信された画像に基づいて、車両の運転席に搭乗者が着座したことを検知し得る。例えば、運転資格情報取得部１１ａは、サポートベクトルマシン又はａｄａＢｏｏｓｔの識別器を用いて画像を解析し、車両の運転席に着座した搭乗者を検知してもよい。
【０１１７】
運転資格情報取得部１１ａは、車両の運転席に搭乗者が着座したことを検知する際には、上述した複数の着座情報を取得する手段の内に１つ又は複数を用いてもよい。複数の手段を用いる場合には、多数決法を用いて、搭乗者が着座したことを検知してもよい。
【０１１８】
次に、ステップＳ７０３において、車両の運転席に搭乗者が着座したことを検知した運転資格情報取得部１１ａは、搭乗者情報取得部３０が取得した搭乗者情報を、ネットワークＮを介してサーバ１１０へ送信する。そして、運転資格情報取得部１１ａは、サーバ１１０から送信された搭乗者の運転資格情報を得る。
【０１１９】
なお、運転資格情報取得部１１ａは、搭乗者が有する端末１３０の端末識別情報を、搭乗者情報として、ネットワークＮを介してサーバ１１０へ送信してもよい。例えば、車両の運転席に着座し得る搭乗者が、車両の外部におり、端末１３０を用いて、車両制御装置１０の通信部１３と通信する場合もあるからである。この場合、運転資格情報取得部１１ａは、端末１３０から端末識別情報を取得する。
【０１２０】
ステップＳ７０３の処理を、図８を参照しながら、以下に説明する。
【０１２１】
まず、ステップＳ８０１において、車両制御装置１０の処理部１１の運転資格情報取得部１１ａは、搭乗者情報取得部３０が取得した搭乗者情報を受信する。運転資格情報取得部１１ａは、搭乗者情報として、運転免許証が有する情報、車両の運転席に着座した搭乗者の顔の画像、車両の運転席に着座した搭乗者の生体情報及び端末識別情報の内の１つ又は複数の情報を受信し得る。
【０１２２】
なお、運転資格情報取得部１１ａは、車両の運転席に搭乗者が着座したことを検知した後、所定の時間内に、運転免許証リーダ３１が運転免許証から情報を取得できない場合には、運転資格情報取得部１１ａは、搭乗者が運転免許証を有していないと判断する。
【０１２３】
次に、ステップＳ８０３において、運転資格情報取得部１１ａは、搭乗者情報を、ネットワークＮを介してサーバ１１０へ送信する。
【０１２４】
次に、ステップＳ８０５において、サーバ１１０は、搭乗者情報を受信する。
【０１２５】
次に、ステップＳ８０７において、サーバ１１０は、記憶部１１２を参照して、受信した搭乗者情報に基づいて、車両の運転席に着座した搭乗者の運転資格情報を取得する。
【０１２６】
具体的には、サーバ１１０は、まず、受信した搭乗者情報に基づいて、搭乗者情報と関連付けられている搭乗者識別情報を取得し、次に、搭乗者識別情報に基づいて、搭乗者識別情報と関連付けられている運転資格情報を取得する。
【０１２７】
サーバ１１０は、搭乗者情報として、運転免許証リーダ３１が取得した運転免許証が有する情報を受信した場合、記憶部１１２が記憶する免許証情報参照表１１２ｂを参照して、搭乗者識別情報を取得する。例えば、サーバ１１０は、免許証情報参照表１１２ｂを参照して、搭乗者情報と一致する運転免許証の番号と関連付けられている搭乗者識別情報を取得する。
【０１２８】
サーバ１１０は、免許証情報参照表１１２ｂを参照して、運転資格情報を取得できない場合、運転資格情報として、運転資格を有していないと判断する。運転免許証が有する情報が、免許証情報参照表１１２ｂに登録されていない場合もあるからである。
【０１２９】
また、サーバ１１０は、運転免許証が有する搭乗者情報である免許証の番号及び年齢に基づいて、運転資格情報を決定してもよい。例えば、搭乗者の年齢が所定の年以上の場合には、搭乗者が、免許証情報参照表１１２ｂに登録された運転資格情報として、普通自動車一種免許（マニュアル、限定なし）又は普通自動車一種免許（オートマチック限定）を有していても、搭乗者に対して許容される運転資格情報を、速度及び経路選択自動運転モード又は完全自動運転モードだけに制限してもよい。安全な車両の走行を確保する観点から、高齢の搭乗者に対しては、手動運転が可能な運転資格情報を有していても、手動運転を許容しないようにしてもよい。
【０１３０】
サーバ１１０は、搭乗者情報として、車両の運転席に着座した搭乗者の顔の画像を受信した場合、記憶部１１２が記憶する顔画像参照表１１２ｃを参照して、搭乗者識別情報を取得してもよい。具体的には、サーバ１１０は、顔画像参照表１１２ｃを参照して、搭乗者情報として取得された搭乗者の顔の画像と関連付けられている搭乗者識別情報を取得する。
【０１３１】
サーバ１１０は、例えば、主成分分析を使った固有顔法、線形判別分析法、弾性バンチグラフマッチング法、隠れマルコフモデル法、ニューロン動機づけによるダイナミックリンク照合法等を用いて、搭乗者情報として取得された搭乗者の顔の画像を解析する。
【０１３２】
もし、サーバ１１０が、搭乗者情報として取得された搭乗者の顔の画像に基づいて、搭乗者識別情報を取得できない場合には、サーバ１１０は、運転資格情報として、運転資格を有していないと判断する。
【０１３３】
また、サーバ１１０は、搭乗者情報として、車両の運転席に着座した搭乗者の生体情報を受信した場合、記憶部１１２が記憶する生体情報参照表１１２ｄを参照して、搭乗者識別情報を取得してもよい。
【０１３４】
例えば、サーバ１１０は、生体情報参照表１１２ｄを参照して、搭乗者情報として受信した搭乗者の指の指紋の画像情報と関連付けられている搭乗者識別情報を得る。運転モード決定部１１ｂは、例えば、パターンマッチング又はマニューシャマッチング等を用いて、搭乗者情報として取得された搭乗者の指の指紋の画像を解析する。
【０１３５】
もし、サーバ１１０が、搭乗者情報として取得された搭乗者の生体情報に基づいて、搭乗者識別情報を取得できない場合には、サーバ１１０は、運転資格情報として、運転資格を有していないと判断する。
【０１３６】
更に、サーバ１１０は、搭乗者情報として、車両の運転席に着座し得る搭乗者の端末識別情報を受信した場合、記憶部１１２が記憶する端末参照表１１２ｅを参照して、搭乗者識別情報を取得してもよい。
【０１３７】
もし、サーバ１１０が、搭乗者情報として取得された搭乗者の端末識別情報に基づいて、搭乗者識別情報を取得できない場合には、サーバ１１０は、運転資格情報として、運転資格を有していないと判断する。
【０１３８】
次に、ステップＳ８０９において、サーバ１１０は、取得した搭乗者識別情報に基づいて、記憶部１１２が記憶する運転資格情報表１１２ａを参照して、運転資格情報を取得する。
【０１３９】
ここで、サーバ１１０は、受信した複数の搭乗者情報を用いて運転資格情報を決定する時に、取得された全ての運転資格情報が一致しない場合には、運転資格情報として、運転資格を有していないと判断してもよい。
【０１４０】
例えば、サーバ１１０は、運転免許証が有する情報と、搭乗者の顔の画像とに基づいて、運転資格情報を決定してもよい。ここで、車両の所有者の子供が、所有者の運転免許証を持ち出して、車両の運転席に着座したとする。運転免許証が有する情報に基づいて得られる運転資格情報と、カメラ３２により撮影された搭乗者の顔の画像に基づいて得られる運転資格情報とは一致しない。このように、得られた複数の運転資格情報が一致しない場合、サーバ１１０は、搭乗者に対して、何れの運転モードも許容しないようにしてもよい。この場合、子供は、車両を操作することはできない。
【０１４１】
また、サーバ１１０は、取得した搭乗者識別情報に基づいて、記憶部１１２が記憶するサーバ車両設定表１１２ｆを参照して、搭乗者識別情報と関連付けられている車両設定情報を取得する。また、サーバ１１０は、取得した搭乗者識別情報に基づいて、記憶部１１２が記憶するサーバ経路履歴表１１２ｇを参照して、搭乗者識別情報と関連付けられている経路履歴情報を取得する。また、また、サーバ１１０は、取得した搭乗者識別情報に基づいて、記憶部１１２が記憶するサーバ手動運転履歴表１１２ｈを参照して、搭乗者識別情報と関連付けられている手動運転履歴情報を取得する。更に、サーバ１１０は、取得した搭乗者識別情報に基づいて、記憶部１１２が記憶するサーバ自動運転履歴表１１２ｊを参照して、搭乗者識別情報と関連付けられている自動運転履歴情報を取得する。
【０１４２】
次に、ステップＳ８１１において、サーバ１１０は、運転資格情報と、車両設定情報と、経路履歴情報と、手動運転履歴情報と、自動運転履歴情報を、ネットワークＮを介して車両制御装置１０へ送信する。
【０１４３】
次に、ステップＳ８１３において、運転資格情報取得部１１ａは、運転資格情報と、車両設定情報と、経路履歴情報と、手動運転履歴情報と、自動運転履歴情報を受信する。運転資格情報取得部１１ａは、搭乗者の運転資格情報として、例えば、普通自動車一種免許（マニュアル、限定なし）、普通自動車一種免許（オートマチック限定）、普通自動二輪免許又は免許資格を有していないという情報を得る。このように、システム１００では、サーバ１１０において管理及び更新される搭乗者の運転資格情報が、システム１において取得される。
【０１４４】
次に、ステップＳ８１５において、運転資格情報取得部１１ａは、受信した車両設定情報を、記憶部１２に記憶された車両設定表１２ｂに登録する。車両制御装置１０は、車両設定表１２ｂに登録された車両設定情報に基づいて、搭乗者に対応するように、車載装置４０の音響出力部４５の設定を調節する。また、車両制御装置１０は、車両設定表１２ｂに登録された車両設定情報に基づいて、車両設定制御部８０を制御して、搭乗者に対応するようにドライビングポジションを調節する。
【０１４５】
また、運転資格情報取得部１１ａは、受信した経路履歴情報を、記憶部１２に記憶された経路履歴表１２ｃに登録し、受信した手動運転履歴情報を、記憶部１２に記憶された手動運転履歴表１２ｄに登録する。また、運転資格情報取得部１１ａは、受信した自動運転履歴情報を、記憶部１２に記憶された自動運転履歴表１２ｅに登録する。
【０１４６】
なお、運転資格情報取得部１１ａは、運転席着座情報取得部２０から送信される情報に基づいて、車両の運転席に着座していた搭乗者が脱座したことを検知した場合には、ステップＳ７０１及びＳ７０３の処理をあらためて行って、運転資格情報を再度取得することが好ましい。
【０１４７】
以上が、ステップＳ７０３の説明である。
【０１４８】
次に、ステップＳ７０５において、図９に示すように、運転モード決定部１１ｂは、車両において選択可能な全ての運転モードを、車載装置４０の表示部４３に表示する。車両の運転席に着座した搭乗者は、車載装置４０の操作部４４を用いて、表示部４３に表示された運転モードの内の何れか１つのモードを選択する。そして、運転モード決定部１１ｂは、搭乗者により選択された運転モードを入力する。なお、運転モード決定部１１ｂは、搭乗者情報に基づいて、搭乗者に対して許容される運転モードだけを、表示部４３に表示するようにしてもよい。
【０１４９】
次に、ステップＳ７０７において、車両制御装置１０の処理部１１の経路決定部１１ｃは、車載装置４０の操作部４４を用いて、運転席に着座した搭乗者が希望する目的地を入力する。
【０１５０】
運転席に着座した搭乗者は、車載装置４０の操作部４４を用いて、目的地を入力する。また、速度及び経路選択自動運転モードを選択した搭乗者は、希望する速度又経路を、車載装置４０の操作部４４を用いて入力してもよい。
【０１５１】
次に、ステップＳ７０９において、経路決定部１１ｃは、車載装置４０を用いて、現時点の車両の位置から目的地までの経路を導出する。経路決定部１１ｃは、搭乗者により選択された運転モードが、速度及び経路選択自動運転モード又は完全自動運転モードの場合には、自動運転による走行が可能な道路だけを経由して経路を導出することを試みる。もし、自動運転による走行が可能な道路だけを経由した経路を導出できない場合、又は目的地が自動運転による走行が可能な道路に接続していない場合には、自動運転による走行が許容されない道路を含んだ代替経路を導出する。経路決定部１１ｃは、記憶部１２に記憶された経路履歴表１２ｃに登録されている経路履歴情報を参照して、搭乗者に対応した経路を導出してもよい。
【０１５２】
次に、ステップＳ７１１において、運転モード決定部１１ｂは、運転資格情報に基づいて、導出された目的地までの経路に対して、選択された運転モードを許可可能か否かについて判断する。
【０１５３】
図１０は、ステップＳ７１１における運転モード決定部１１ｂの処理を説明する図である。
【０１５４】
まず、ステップＳ１００１において、運転モード決定部１１ｂは、搭乗者により選択された運転モードが、運転資格情報に基づいて許容されるか否かを判断する。
【０１５５】
例えば、運転資格情報として、普通自動車一種免許（マニュアル、限定なし）を有する搭乗者が、手動ＭＴ運転モードを選択した場合には、この選択は許容される（ステップＳ１００１においてＹｅｓの場合）。一方、運転資格情報として、普通自動車一種免許（オートマチック限定）を有する搭乗者が、手動ＭＴ運転モードを選択した場合には、この選択は許容されない（ステップＳ１００１においてＮｏの場合）。また、運転資格情報として、普通自動二輪免許を有する搭乗者が、速度及び経路選択自動運転モードを選択した場合には、この選択は許容される（ステップＳ１００１においてＹｅｓの場合）。一方、運転資格情報として、普通自動車一種免許（オートマチック限定）を有する搭乗者が、手動ＭＴ運転モード又は手動ＡＴ運転モードを選択した場合には、この選択は許容されない（ステップＳ１００１においてＮｏの場合）。更に、運転資格情報として運転資格を有さない搭乗者が、完全自動運転モードを選択した場合には、この選択は許容される（ステップＳ１００１においてＹｅｓの場合）。一方、運転資格情報として運転資格を有さない搭乗者が、手動ＭＴ運転モード、手動ＡＴ運転モード、又は速度及び経路選択自動運転モードを選択した場合には、この選択は許容されない（ステップＳ１００１においてＮｏの場合）。
【０１５６】
運転モード決定部１１ｂは、運転資格情報として搭乗者が運転資格を有していない場合には、運転モードとして、上述した４つの内、完全自動運転モードを搭乗者に対して許容するか、又は何れの運転モードも許容しないようにしてもよい。何れの運転モードも許容されない搭乗者に対しては、車両の車両を操作することはできない。
【０１５７】
次に、ステップＳ１００３において、運転モード決定部１１ｂは、選択された運転モードで目的地まで移動可能か否かを判断する（ステップＳ１００１においてＹｅｓの場合）。
【０１５８】
例えば、搭乗者に対して手動ＭＴ運転モード又は手動ＡＴ運転モードが許容されている場合には、運転モード決定部１１ｂは、導出された経路を用いて移動可能であると判断する（ステップＳ１００３においてＹｅｓの場合）。経路が、自動運転による走行が許可されていない道路を含んでいるか、又は目的地が自動運転による走行が可能な道路に接続していなくても、手動運転による走行は可能であると考えられるためである。一方、速度及び経路選択自動運転モード又は完全自動運転モードが許容されていて、導出された経路が自動運転による走行が許可されていない道路を含んでいるか又は目的地が自動運転による走行が可能な道路に接続していない場合には、運転モード決定部１１ｂは、選択された運転モードで目的地まで移動できないと判断する（ステップＳ１００３においてＮｏの場合）。このように、搭乗者の運転資格情報に基づいて、運転モードを決定すると共に、経路を決定することにより、経路上の道路を走行可能な運転モードに基づいた運転が確保される。具体的には、運転モードが速度及び経路選択自動運転モード又は完全自動運転モードの時には、運転資格情報に基づいて、目的地までの経路が決定される。
【０１５９】
ステップＳ１００５において、選択された運転モードを許可可能であると判断する（ステップＳ１００３においてＹｅｓの場合）。
【０１６０】
次に、ステップＳ７１３（図７参照）において、運転モード決定部１１ｂは、搭乗者に対して、搭乗者により選択された運転モードを、車両を制御する運転モードとして決定する。運転モード決定部１１ｂは、運転制御装置６０を、決定された運転モードで車両の動作を制御させる。
【０１６１】
手動ＭＴ運転モード又は手動ＡＴ運転モードが許可された場合には、車両の手動運転中に、車両制御装置１０の処理部１１の情報更新部１１ｄは、運転制御装置６０から搭乗者の操作情報を取得して、手動運転履歴表１２ｄを更新する。
【０１６２】
図１１は、手動運転履歴表の例を示す図である。
【０１６３】
手動運転履歴表１１００は、速度欄１１０１と、制動欄１１０２と、加速欄１１０３と、車間距離欄１１０４と、車線切り替え欄１１０４と、追い越し欄１１０６と、クラクション欄１１０７を有する。
【０１６４】
情報更新部１１ｄは、車両の走行に基づいて、車両の速度を所定の範囲で数値化した値を速度欄１１０１に更新する。情報更新部１１ｄは、搭乗者の操作情報に基づいて、ブレーキ操作の頻度を所定の範囲で数値化した値を制動欄１１０２に更新する。情報更新部１１ｄは、搭乗者の操作情報に基づいて、アクセル操作の頻度を所定の範囲で数値化した値を加速欄１１０３に更新する。情報更新部１１ｄは、車両の走行に基づいて、車間距離を所定の範囲で数値化した値を車間距離欄１１０４に更新する。情報更新部１１ｄは、車両の走行及び搭乗者の操作情報に基づいて、車線切り替えの頻度を所定の範囲で数値化した値を車線切り替え欄１１０４に更新する。情報更新部１１ｄは、車両の走行及び搭乗者の操作情報に基づいて、追い越しの頻度を所定の範囲で数値化した値を追い越し欄１１０６に更新する。情報更新部１１ｄは、搭乗者の操作情報に基づいて、クラクション鳴動の頻度を所定の範囲で数値化した値をクラクション欄１１０７に更新する。
【０１６５】
一方、速度及び経路選択自動運転モード又は完全自動運転モードが許可された場合には、車両の自動運転中に、車両制御装置１０の処理部１１の情報更新部１１ｄは、自動運転モードで車両に搭乗している搭乗者からの自動運転評価情報を取得する。
【０１６６】
図１２は、自動運転評価情報を取得する際の表示部の画面を示す図である。
【０１６７】
情報更新部１１ｄは、車載装置４０の表示部４３に、自動運転評価項目である車両の速度、制動、加速、車間距離、車線切り替え、追い越し、クラクションと共に、各項目を評価する評価情報を表示する。
【０１６８】
搭乗者は、車載装置４０の操作部４４を用いて、各自動運転評価項目を評価する評価情報を選択する。
【０１６９】
搭乗者は、速度の評価情報として、速い又は遅いを選択する。搭乗者は、制動の評価情報として、強い又は弱いを選択する。搭乗者は、加速の評価情報として、強い又は弱いを選択する。搭乗者は、車間距離の評価情報として、近い又は遠いを選択する。搭乗者は、車線切り替えの評価情報として、多い又は少ないを選択する。搭乗者は、追い越しの評価情報として、多い又は少ないを選択する。搭乗者は、クラクション鳴動の評価情報として、多い又は少ないを選択する。
【０１７０】
情報更新部１１ｄは、操作部４４を用いて、各自動運転評価項目に対する搭乗者の評価情報を取得する。
【０１７１】
情報更新部１１ｄは、取得した自動運転評価情報に基づいて、記憶部１２に記憶した自動運転履歴表１２ｅに更新する。
【０１７２】
情報更新部１１ｄは、手動運転履歴表１２ｄに登録された手動運転情報と共に、自動運転履歴表１２ｅに登録された自動運転評価情報に基づいて、運転制御装置６０の自動運転を制御する。また、搭乗者が、車載装置４０の音響出力部４５の設定を変更するか、又はドライビングポジションの設定を変更した時には、情報更新部１１ｄは、記憶部１２の車両設定表１２ｂの情報を更新する。
【０１７３】
以上が、ステップＳ７１３の説明である。
【０１７４】
一方、ステップＳ１００７において、運転モード決定部１１ｂは、選択された運転モードを許可できないと判断する（ステップＳ１００１又はステップＳ１００３においてＮｏの場合）。
【０１７５】
次に、ステップＳ７１５において（ステップＳ７１１においてＮｏの場合）、運転モード決定部１１ｂは、他の許可可能な運転モードの有無を判断する。
【０１７６】
例えば、ステップＳ７１１において、運転資格情報として普通自動車一種免許（マニュアル、限定なし）を有する搭乗者が、速度及び経路選択自動運転モード又は完全自動運転モードを選択しており、自動運転による走行が許容されない道路を含んだ目的地までの代替経路が導出されているとする。この場合には、運転モード決定部１１ｂは、搭乗者に対して許可可能な運転モードとして、手動ＭＴ運転モード及び手動ＡＴ運転モードが有ると判断する（ステップＳ７１５においてＹｅｓの場合）。これは、手動ＭＴ運転モード及び手動ＡＴ運転モードを有する運転資格情報を有する搭乗者であれば、手動運転により代替経路を走行して、目的地まで安全に運転できると考えられからである。
【０１７７】
また、ステップＳ７１１において、運転資格情報として運転資格を有さない搭乗者が、速度及び経路選択自動運転モードを選択しており、自動運転による走行が可能な道路だけを経由した目的地までの経路が導出されているとする。この場合には、運転モード決定部１１ｂは、搭乗者に対して許可可能な運転モードとして、完全自動運転モードが有ると判断する（ステップＳ７１５においてＹｅｓの場合）。運転資格を有さない搭乗者に対しては、目的地を入力する操作だけを許容して、車両の安全な走行が確保される。
【０１７８】
更に、ステップＳ７１１において、運転資格情報として運転資格を有さない搭乗者が、手動ＭＴ運転モード又は手動ＡＴ運転モードを選択しており、自動運転による走行が可能な道路だけを経由した目的地までの経路を導出できた場合には、運転モード決定部１１ｂは、搭乗者に対して許可可能な運転モードとして、完全自動運転モードが有ると判断する（ステップＳ７１５においてＹｅｓの場合）。運転資格を有さない搭乗者に対しては、目的地を入力する操作だけを許容して、車両の安全な走行が確保される。
【０１７９】
一方、搭乗者が有する運転資格情報に対して許可可能な運転モードがない場合には、運転モード決定部１１ｂは、他の許可可能な運転モードは無いと判断する（ステップＳ７１５においてＮｏの場合）。例えば、運転資格情報として運転資格を有さない搭乗者が、完全自動運転モードを選択しているが、自動運転による走行が可能な道路だけを経由した目的地までの経路を導出できない場合がある。
【０１８０】
ステップＳ７１７において、運転モード決定部１１ｂは、搭乗者に対して、許可可能な運転モードを通知する（ステップＳ７１５においてＹｅｓの場合）。運転モード決定部１１ｂは、例えば、車載装置４０の表示部４３に許可可能な運転モードを表示するか、又は、音響出力部４５を用いて許可可能な運転モードを音声出力する。
【０１８１】
次に、ステップＳ７１９において、運転モード決定部１１ｂは、車載装置４０の操作部４４を用いて、搭乗者から許可可能な運転モードを入力する。なお、運転席に着座する搭乗者は、通知された許可可能な運転モードを選択しない場合には、操作部４４を用いて、許可可能な運転モードを選択しない操作を行う（ステップＳ７１９においてＮｏの場合）。
【０１８２】
次に、ステップＳ７２１において、運転モード決定部１１ｂは、搭乗者に対して、搭乗者により入力された運転モードを、車両を制御する運転モードとして決定する。運転モード決定部１１ｂは、運転制御装置６０を、決定された運転モードで車両の動作を制御させる。
【０１８３】
一方、ステップＳ７２３において、運転モード決定部１１ｂは、車両を操作することが不可能であることを、搭乗者に通知する（ステップＳ７１５又はＳ７１９においてＮｏの場合）。運転モード決定部１１ｂは、例えば、車載装置４０の表示部４３を用いて、車両を運転することが不可能であることを表示するか、又は、音響出力部４５を用いて、その旨を音声出力する。
【０１８４】
以上が、車両制御装置１０が運転モードを決定する動作の説明である。
【０１８５】
車両制御装置１０は、搭乗者の運転モードを決定した後も、例えば所定の間隔で、ネットワークＮを介して、サーバ１１０と通信する。車両制御装置１０は、記憶部１２に記憶されている車両設定表１２ｂ、経路履歴表１２ｃ、手動運転履歴表１２ｄ及び自動運転履歴表１２ｅに登録されている情報を、搭乗者情報と共に、サーバ１１０へ送信する。サーバ１１０は、搭乗者情報に基づいて搭乗者識別情報を取得し、搭乗者識別情報と関連づけて、受信した各情報を、記憶部１１２のサーバ車両設定表１１２ｆ、サーバ経路履歴表１１２ｇ、サーバ手動運転履歴表１１２ｈ及びサーバ自動運転履歴表１１２ｉに登録する。もし、車両制御装置１０は、サーバ１１０との通信が切断した場合には、ステップＳ７０１及びＳ７０３の処理を繰り返して、搭乗者の運転資格情報を取得する。以下、手動運転中にサーバ１１０との通信が切断した場合の車両制御装置１０の動作を、図１３を参照しながら、以下に説明する。
【０１８６】
まず、ステップＳ１３０１において、搭乗者が運転する車両が手動運転モードで走行中に、車両制御装置１０とサーバ１１０との間の通信が切断したとする。
【０１８７】
次に、ステップＳ１３０３において、サーバ１１０との間の通信が接続した後、運転資格情報取得部１１ａは、搭乗者情報を、ネットワークＮを介してサーバ１１０へ送信する。
【０１８８】
次に、ステップＳ１３０５において、サーバ１１０は、搭乗者情報を受信する。
【０１８９】
次に、ステップＳ１３０７において、サーバ１１０は、記憶部１１２を参照して、受信した搭乗者情報に基づいて、車両の運転席に着座した搭乗者の運転資格情報を取得する。
【０１９０】
次に、ステップＳ１３０９において、サーバ１１０は、取得した搭乗者識別情報に基づいて、記憶部１１２が記憶する運転資格情報表１１２ａを参照して、運転資格情報を取得する。
【０１９１】
ここで、運転資格情報表１１２ａには、搭乗者識別情報と関連付けられて登録されている運転資格関連情報が無効情報を有しているとする。これは、通信が切断されている間に、サーバ１１０が公的な機関のサーバ１２０から運転資格関連情報を取得して、運転資格情報表１１２ａが更新されたことにより、運転資格関連情報として無効情報が登録されたことによる。例えば、搭乗者識別情報と関連付けられている運転免許証が盗難されている等の理由により、運転資格関連情報として無効情報が登録されることが考えられる。
【０１９２】
次に、ステップＳ１３１１において、サーバ１１０は、搭乗者の運転資格関連情報が無効情報を含む時には、運転資格情報として登録されている情報に関わらず、運転資格情報として、運転資格を有していないと判断する。
【０１９３】
次に、ステップＳ１３１３において、サーバ１１０は、運転資格情報を、ネットワークＮを介して車両制御装置１０へ送信する。
【０１９４】
次に、ステップＳ１３１５において、運転資格情報取得部１１ａは、運転資格情報を受信する。
【０１９５】
次に、ステップＳ１３１７において、運転資格情報取得部１１ａは、受信した運転資格情報が、通信が切断前の運転資格情報とは異なると判断すると、車両の運転モードを、自動運転モードに変更して、車両を安全な場所で停止させる。その後、車両制御装置１０は、搭乗者から目的地を取得して、自動運転モードで目的地へ移動してもよい。
【０１９６】
以上が、手動運転中にサーバ１１０との通信が切断した場合の車両制御装置１０の動作の説明である。
【０１９７】
車両の運転席に着座し得る搭乗者は、車両から離れた場所において車両を利用したい場合もある。例えば、搭乗者は、車両を搭乗者がいる現在の位置まで移動させた上で、車両に搭乗して目的地まで移動することがある。
【０１９８】
ここで、搭乗者の運転資格情報として、自動運転モードだけが許容される場合には、現在の位置から目的地まで移動できない場合がある。これは、目的地までの導出された経路が自動運転による走行が許可されていない道路を含んでいるか又は目的地が自動運転による走行が可能な道路に接続していない場合には、自動運転では、目的地まで移動できないためである。
【０１９９】
以下、車外にいる搭乗者が、車両を現在の位置まで移動させた上で、車両に搭乗して目的地まで移動する場合の車両制御装置１０の動作を、図１４及び図１５を参照しながら、以下に説明する。
【０２００】
まず、ステップＳ１４０１において、車外にいる搭乗者は、端末１３０を用いて、搭乗者情報としての端末識別情報及び現在の位置情報を、ネットワークＮを介して、車両制御装置１０へ送信する。
【０２０１】
次に、ステップＳ１４０３において、車両制御装置１０は、搭乗者情報としての端末識別情報及び現在の位置情報を受信する。
【０２０２】
次に、ステップＳ１４０５において、車両制御装置１０の処理部１１の運転資格情報取得部１１ａは、搭乗者情報としての端末識別情報をサーバ１１０へ送信して、運転資格情報を取得する。
【０２０３】
次に、ステップＳ１４０７において、車両制御装置１０の処理部１１の運転モード決定部１１ｂ及び経路決定部１１ｃは、運転モード選択要求及び目的地要求を、ネットワークＮを介して、端末１３０へ送信する。
【０２０４】
次に、ステップＳ１４０９において、端末１３０は、運転モード選択要求及び目的地要求を受信する。
【０２０５】
次に、ステップＳ１４１１において、車外にいる搭乗者は、端末１３０を用いて、選択する運転モード及び目的地を、ネットワークＮを介して、車両制御装置１０へ送信する。
【０２０６】
次に、ステップＳ１４１３において、車両制御装置１０は、運転モード及び目的地を受信する。
【０２０７】
次に、ステップＳ１４１５において、車両制御装置１０の経路決定部１１ｃは、車両の現在の位置から搭乗者の現在の位置までの経路を、自動運転による走行が可能な道路だけを経由して導出することを試みる。また、経路決定部１１ｃは、搭乗者の現在の位置から目的地までの経路を導出する。
【０２０８】
次に、ステップＳ１４１５において、車両制御装置１０の運転モード決定部１１ｂは、自動運転により、車両の現在の位置から搭乗者の現在の位置まで移動可能か否かを判断する。運転モード決定部１１ｂは、車両の現在の位置から搭乗者の現在の位置までの経路を、自動運転により走行可能であれば、移動可能であると判断する。そうでない場合には、運転モード決定部１１ｂは、移動不可能であると判断する。
【０２０９】
また、運転モード決定部１１ｂは、車両の現在の位置から搭乗者の現在の位置まで移動可能な場合には、搭乗者の運転資格情報に基づいて、搭乗者の現在の位置から目的地までの経路に対して、選択された運転モードで移動可能か否かについて判断する。
【０２１０】
そして、運転モード決定部１１ｂは、車両の現在の位置から搭乗者の現在の位置まで移動可能か否かの判断結果と、搭乗者の現在の位置から目的地まで選択された運転モードで移動可能か否かの判断結果を、ネットワークＮを介して、端末１３０へ送信する。運転モード決定部１１ｂは、搭乗者の現在の位置から目的地まで選択された運転モードで移動不可能な場合には、判断結果と共に、搭乗者の現在の位置から目的地までの経路においてどこまで移動可能かを示す移動可能情報を送信する。
【０２１１】
なお、車両が、自動運転により、車両の現在の位置から搭乗者の現在の位置まで移動不可能な場合には、搭乗者の現在の位置から目的地まで選択された運転モードで移動可能か否かの判断結果は、端末１３０には送信されない。
【０２１２】
ここでは、車両が、自動運転により、車両の現在の位置から搭乗者の現在の位置まで移動可能であるとして、以下の説明を行う。
【０２１３】
次に、ステップＳ１４１９において、端末１３０は、車両の現在の位置から搭乗者の現在の位置まで移動可能か否かの判断結果と、搭乗者の現在の位置から目的地まで選択された運転モードで移動可能か否かの判断結果を受信する。
【０２１４】
車外にいる搭乗者は、搭乗者の現在の位置から目的地まで選択された運転モードで移動可能か否かの判断結果に基づいて、車両を搭乗者がいる現在の位置まで移動させるか否かを判断する。
【０２１５】
例えば、車外にいる搭乗者は、運転資格情報として、運転資格を有していないとする。そして、車外にいる搭乗者は、搭乗者の現在の位置から目的地まで選択された運転モードで移動不可能なことを通知する判断結果を受信したとする。車外にいる搭乗者は、判断結果と共に受信した移動可能情報に基づいて、搭乗者の現在の位置から目的地までの経路においてどこまで移動可能であるかという情報を得る。車外にいる搭乗者は、移動可能情報に基づいて、車両を利用するか、又は、電車若しくはタクシー等の公共の交通機関を利用して目的地まで移動するかを判断することができる。自動運転の車両を利用した場合、目的地まで移動できなくとも、目的地の近傍まで移動できるのであれば、車両を利用することを選択した方がよい場合がある。一方、自動運転の車両を利用して移動できる位置が、目的地から遠い場合には、公共の交通機関を利用することを選択した方がよい場合もある。ここでは、車外にいる搭乗者は、車両を利用して移動することを選択したとして、以下の説明を行う。
【０２１６】
次に、ステップＳ１５０１において、車外にいる搭乗者は、端末１３０を用いて、車両を搭乗者がいる現在の位置まで移動することを要求する移動要求を、ネットワークＮを介して車両制御装置１０へ送信する。
【０２１７】
次に、ステップＳ１５０３において、車両制御装置１０は、移動要求を受信する。
【０２１８】
次に、ステップＳ１５０５において、車両制御装置１０は、自動運転モードで、車外にいる搭乗者の位置まで、車両を移動させる。
【０２１９】
以上が、車外にいる搭乗者が、車両を現在の位置まで移動させた上で、車両に搭乗して目的地まで移動場合の車両制御装置１０の動作の説明である。
【０２２０】
次に、車両制御装置１０の処理部１１の電子決済部１１ｅの動作について、以下に説明する。
【０２２１】
システム１では、車両が有料道路を走行する際には、電子決済部１１ｅが、通信部１３を用いて、料金所に配置された無線通信装置と無線による通信を行うことにより、料金の支払いを電子決済できる。例えば、車両が、自動運転モードで有料道路を走行する時には、電子決済部１１ｅが料金の支払い処理を行うので、搭乗者は、料金の支払い手続きを行わなくて済むようになされている。
【０２２２】
また、車両は、自動運転モードにおいてタクシーとして利用されてもよい。タクシーの利用者である搭乗者は、目的地をシステム１に入力することにより、自動運転で目的地まで移動することができる。この場合、電子決済部１１ｅが、搭乗者からの利用料金の支払いを電子決済できるようになされている。例えば、搭乗者は、搭乗者識別情報と関連づけられたプリペイド型のタクシーチケットをウェブ上で購入してもよい。この場合、搭乗者は、事前に購入したタクシーチケットの金額の範囲内でタクシーを利用することができる。また、搭乗者は、サーバ１１０の記憶部１１２の運転資格情報表１１２ａにおいて、同乗者識別情報と関連づけて、搭乗者のクレジットカードの番号を登録してもよい。搭乗者は、端末１３０を用いて、タクシーの予約及び目的地の通知をシステム１に対して行うことができる。電子決済部１１ｅは、搭乗者がタクシーを利用した後に、タクシーの利用料金を搭乗者のクレジットカードの番号に基づいて電子決済する。
【０２２３】
上述した本実施形態のシステム１００によれば、外部のサーバから取得された、車両を運転する搭乗者が有する運転資格情報に基づいて、自動運転モードを有する車両の操作が許容される操作範囲を決定できる。
【０２２４】
サーバ１１０は、搭乗者の運転資格情報を、運転資格関連情報と共に更新するので、正確な運転資格情報及び運転資格関連情報が取得されて、搭乗者に許容される運転モードが決定される。
【０２２５】
また、システム１００によれば、手動運転モードでは、車両を運転する搭乗者の運転資格情報に基づいて、車両を操作する操作範囲が自動的に決定されるので、搭乗者の技能に対応する範囲で安全な車両の走行が確保される。
【０２２６】
更に、システム１００によれば、運転資格情報として、車両の運転資格を有さない搭乗者に対しては、目的地を入力する操作以外の操作が許容されないので、搭乗者の手動操作を防止して、自動運転モードによる車両の走行を確保できる。
【０２２７】
本発明では、上述した実施形態の車両制御ネットワークシステム、車両制御システム、車両制御装置及び車両制御方法は、本発明の趣旨を逸脱しない限り適宜変更が可能である。
【０２２８】
例えば、上述した実施形態では、経路の導出は、車両制御装置１０により制御されて車載装置４０が行っていたが、経路の導出は、車両制御装置１０が行ってもよい。
【０２２９】
また、システム１００では、同乗者識別情報と関連づけて、事前に登録されている自動運転情報（時間帯及び経路等）に基づいた自動運転を行う自動運転モードを許容するようにしてもよい。例えば、サーバ１１０の記憶部１１２の運転資格情報表１１２ａには、搭乗者識別情報と関連づけられて、自動運転情報（時間帯及び経路等）を有する完全自動運転モードを登録してもよい。この完全自動運転モードでは、事前に定められた時間帯において、事前に定められた経路を移動するように、車両が制御される。このような設定は、例えば、朝夕の子供の学校への送迎に車両を利用する場合に利用することができる。これにより、搭乗者は、運転免許証を、運転免許証リーダ３１に読み取らすことにより、目的地へ移動することができる。
【０２３０】
なお、免許の種別や運転資格は、今後の交通ルールの改正等により変動する可能性がある。たとえば、運転操作は出来なくても交通ルール等に一定の知識が要求される「自動運転免許」が創設されるかもしれず、そのような場合、完全自動運転であっても何等かの運転資格者が乗車していないと、走行が許容されなくなる可能性もある。したがって、変形例に係るサーバ１１０はそうした交通ルール改正等に対応できるよう、記憶部１１２に記憶されている免許証情報参照表１１２ｂを更新することができる。具体的には改正により追加や変更になった免許の種別・運転資格情報を、図示しない入力部を使ってサーバ管理者等が入力できるようにしたり、図示しない読み取り部によって情報媒体（ＣＤ−ＲＯＭ、ＵＳＢメモリ等）から読み込んでもよいし、ネットワークＮを介して公的なサーバ１２０から取得してもよい。このようにすることによって、将来的に交通ルール等が変わっても、搭乗者が有する運転資格情報に基づいて、自動運転モードを有する車両の操作が許容される操作範囲を適切に決定できる。
【符号の説明】
【０２３１】
１    車両制御システム
１０    車両制御装置
１１    処理部
１２    記憶部
１３    通信部
２０    運転席着座情報取得部
２１    運転席荷重センサ
２２    シートベルト装着センサ
２３    カメラ
３０    搭乗者情報取得部
３１    運転免許証リーダ
３２    カメラ
３３    生体情報センサ
４０    車載装置
４１    処理部
４２    記憶部
４３    表示部
４４    操作部
４５    音響出力部
４６    通信部
５０    ＧＰＳ情報受信部
６０    運転制御装置
６１    自動運転制御部
６２    手動運転制御部
７０    車両状態センサ
７１    操舵装置
７２    駆動装置
７３    制動装置
８０    車両設定制御部
１００    車両制御ネットワークシステム
１１０    サーバ
１１１    処理部
１１２    記憶部
１１３    記憶部
１２０    公的機関のサーバ
１３０    端末
【図１】
2018124860.tif 000003
【図２】
2018124860.tif 000004
【図３】
2018124860.tif 000005
【図４】
2018124860.tif 000006
【図５】
2018124860.tif 000007
【図６】
2018124860.tif 000008
【図７】
2018124860.tif 000009
【図８】
2018124860.tif 000010
【図９】
2018124860.tif 000011
【図１０】
2018124860.tif 000012
【図１１】
2018124860.tif 000013
【図１２】
2018124860.tif 000014
【図１３】
2018124860.tif 000015
【図１４】
2018124860.tif 000016
【図１５】
2018124860.tif 000017